(57)【要約】【課題】血圧計本体側に腕帯部を接続する際に、腕帯部のサイズの判断を行うことができる血圧計を提供する。【解決手段】被測定者の上腕を阻血する阻血用空気袋とチューブ４，５とこのチューブの端部に設けられた接続部材としてのエアプラグ６を有し、サイズの異なる複数の腕帯部２，２Ａと、複数の腕帯部２，２Ａの阻血用空気袋１４，１４Ａを、エアプラグ６を用いて選択可能に接続させる血圧計本体１０を有し、複数の腕帯部２，２Ａのどの種類の腕帯部のチューブのエアプラグ６が、血圧計本体１０に接続されたかを検出して、制御部１２０に通知する腕帯部の種類検出装置８００を備える。【選択図】図５
2012061109.tif 000002
【特許請求の範囲】
【請求項１】
被測定者の上腕に装着され、前記上腕を阻血する阻血用空気袋と前記阻血用空気袋に接続されているチューブとこのチューブの端部に設けられた接続部材とを有し、互いにサイズの異なる複数の腕帯部と、
前記チューブの前記接続部材を用いて、前記複数の腕帯部にそれぞれ設けた前記阻血用空気袋に対して、選択可能に接続させる血圧計本体と
を有し、
前記血圧計本体には、接続された前記腕帯部により前記上腕を加圧する際に前記腕帯部の前記阻血用空気袋内に空気を供給する加圧手段と、制御部と、前記阻血用空気袋内の圧力を減圧する減圧手段とを備え、前記制御部により前記加圧手段と前記減圧手段を制御して血圧を測定する構成であって、
前記選択の結果、前記複数の腕帯部のどの種類の前記腕帯部の前記チューブの接続部材が、前記血圧計本体に接続されたかを検出して前記制御部に通知する腕帯部の種類検出装置を備える
ことを特徴とする血圧計。
【請求項２】
前記複数の腕帯部は、２種類のサイズの前記腕帯部を含むことを特徴とする請求項１に記載の血圧計。
【請求項３】
前記複数の腕帯部は、３種類以上のサイズの前記腕帯部を含むことを特徴とする請求項１に記載の血圧計。
【請求項４】
前記腕帯部の種類検出装置は、前記接続部材に配置された光の反射部材と、前記血圧計本体に配置されて、前記接続部材が前記血圧計本体に装着された状態で、前記光の反射部材により反射された光を受けて信号を前記制御部に送る光検出器とを含むことを特徴とする請求項１ないし請求項３のいずれかに記載の血圧計。
【請求項５】
前記腕帯部の種類検出装置は、前記血圧計本体に配置されて、前記接続部材が前記血圧計本体に装着されると押されることで信号を前記制御部に送るスイッチであることを特徴とする請求項１ないし請求項３のいずれかに記載の血圧計。
【請求項６】
前記接続部材は、前記血圧計本体に形成された孔部に対して、弾性変形することで着脱可能にはめ込まれる突起部を有することを特徴とする請求項１ないし請求項５のいずれかに記載の血圧計。
【請求項７】
各前記腕帯部は、前記阻血用空気袋と、前記上腕に装着された時に対向位置になるように配置された２つのコロトコフ音検出用空気袋とを収納していることを特徴とする請求項６に記載の血圧計。
【請求項８】
被測定者の上腕に装着され、前記上腕を阻血する阻血用空気袋と前記阻血用空気袋に接続されているチューブと該チューブの端部に設けられた接続部材とを備えた腕帯部と、
前記接続部材を用いて着脱可能に接続させる血圧計本体と、からなり、
前記血圧計本体は、接続された前記腕帯部により前記上腕を加圧する際に前記腕帯部の前記阻血用空気袋内に空気を供給する加圧手段と、制御部と、前記阻血用空気袋内の圧力を減圧する減圧手段とを備え、前記制御部により前記加圧手段と前記減圧手段を制御して血圧を測定するものであり、
前記接続部材は、前記血圧計本体に形成された１対の孔部に対して、弾性変形することで着脱可能にはめ込まれる所定の長さを有する１対の突起部を有することを特徴とする血圧計。
【発明の詳細な説明】
【技術分野】
【０００１】
本発明は、被測定者の上腕に腕帯部を装着して血圧を測定する血圧計に関する。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、精神的に安定している家庭にて測定した血圧値に注目が集まっている。このため、この家庭での血圧測定に用いる電子血圧計が注目されている。
【０００３】
このタイプの血圧計で測定上問題となるのが、腕帯部の腕への装着の仕方である。腕帯部内の空気袋の位置が上腕に対して適当でない場合や、上腕に対して巻き付け強さが適当でない場合に、腕帯部の空気袋の圧迫が上腕に正しく行われず、血圧が高く測定される場合がある。近年、これを解決するために、筒状の腕帯部に腕を挿入するだけで、自動的に腕帯部の阻血用の空気袋を腕の正しい位置に配置し、正しい巻き付け強さにて血圧測定を行うことができるようにした血圧計本体と腕帯部を一体とした電子血圧計が開発されている（特許文献１を参照）。
【０００４】
しかし、使用者が上記血圧計を使用すると、腕を挿入する腕帯部が血圧計本体と一体となっているので、血圧計本体の位置が被測定者の前方に離れていた場合には、被測定者は前かがみ状態での測定となり易い。このため、被測定者の腹部が圧迫されて腹圧が上昇し、その結果血圧が上昇する現象が見られる場合がある。この血圧上昇は、新たな擬似高血圧症の発生として指摘されている。
【０００５】
そこで、腕帯部が血圧計本体とは別体に形成されているものが提案されており、腕帯部は剛体のケースを有しており、このケース内に阻血用の空気袋が配置されている。これにより、被測定者が座位にて血圧測定する場合に、血圧計本体から腕帯部を分離できるので、上腕を腕帯部に挿入するだけで測定可能となる利便性を損なわず、血圧計本体の設置場所が被測定者から前方に離れていても、測定者が正しく、背を伸ばした状態にて腹圧の掛からない状態で血圧測定をすることが可能である。
【先行技術文献】
【特許文献】
【０００６】
【特許文献１】特開２００５―２３７４２７号公報
【発明の概要】
【発明が解決しようとする課題】
【０００７】
上述した電子血圧計では、被測定者の腕回りの大きさに合わせて上腕が腕帯部に挿入できるようにするために、複数の種類のサイズの腕帯部が用意されていることがある。
ところが、大きい腕帯部の阻血用空気袋が収容できる空気容量は、小さい腕帯部の阻血用空気袋が収容できる空気容量に比べて大きい。従って、血圧測定時に血圧計本体から各種類の腕帯部に供給するべき空気量は腕帯部のサイズの種類により異なり、血圧計本体に接続されている腕帯部がどのサイズのものかを血圧計本体側が判断する必要が生じることから、血圧計本体側で腕帯部のサイズの判断を行えることが望まれている。
そこで、本発明は、上記課題を解消するために、血圧計本体側に腕帯部を接続する際に、腕帯部のサイズの判断を行うことができる血圧計を提供することを目的とする。
また、血圧計本体側に腕帯部をエアプラグを介して接続する時に装着が容易で確実に接続でき、腕帯部を交換するために取り外す時にも容易に行なえる血圧計を提供することを目的とする。
【課題を解決するための手段】
【０００８】
本発明の血圧計は、被測定者の上腕に装着され、前記上腕を阻血する阻血用空気袋と前記阻血用空気袋に接続されているチューブとこのチューブの端部に設けられた接続部材とを有し、互いにサイズの異なる複数の腕帯部と、前記チューブの前記接続部材を用いて、前記複数の腕帯部にそれぞれ設けた前記阻血用空気袋に対して、選択可能に接続させる血圧計本体とを有し、前記血圧計本体には、接続された前記腕帯部により前記上腕を加圧する際に前記腕帯部の前記阻血用空気袋内に空気を供給する加圧手段と、制御部と、前記阻血用空気袋内の圧力を減圧する減圧手段とを備え、前記制御部により前記加圧手段と前記減圧手段を制御して血圧を測定する構成であって、前記選択の結果、前記複数の腕帯部のどの種類の前記腕帯部の前記チューブの接続部材が、前記血圧計本体に接続されたかを検出して前記制御部に通知する腕帯部の種類検出装置を備える
ことを特徴とする。
上記構成によれば、血圧計本体側に腕帯部を接続する際に、腕帯部のサイズの判断を行うことができる。
【０００９】
好ましくは、前記複数の腕帯部は、２種類のサイズの前記腕帯部を含むことを特徴とする。
上記構成によれば、２種類の腕帯部が用意されており、血圧計本体に接続部材を用いて接続する場合に、血圧計本体では各腕帯部のサイズを判断できる。
好ましくは、前記複数の腕帯部は、３種類以上のサイズの前記腕帯部を含むことを特徴とする。
上記構成によれば、３種類の腕帯部が用意されており、血圧計本体に接続部材を用いて接続する場合に、血圧計本体では各腕帯部のサイズを判断できる。
【００１０】
好ましくは、前記腕帯部の種類検出装置は、前記接続部材に配置された光の反射部材と、前記血圧計本体に配置されて、前記接続部材が前記血圧計本体に装着された状態で、前記光の反射部材により反射された光を受けて信号を前記制御部に送る光検出器とを含むことを特徴とする。
上記構成によれば、血圧計本体では、簡単な構成でありながら光学的に腕帯部のサイズの種類の判断をすることができる。
好ましくは、前記腕帯部の種類検出装置は、前記血圧計本体に配置されて、前記接続部材が前記血圧計本体に装着されると押されることで信号を前記制御部に送るスイッチであることを特徴とする。
上記構成によれば、血圧計本体では、簡単な構成でありながら機械的なスイッチを用いて腕帯部のサイズの種類の判断をすることができる。
好ましくは、前記接続部材は、前記血圧計本体に形成された孔部に対して、弾性変形することで着脱可能にはめ込まれる突起部を有することを特徴とする。
上記構成によれば、接続部材の突起部は、血圧計本体の孔部に対して弾性変形することではめ込むことができ、血圧測定を行っている際に接続部材が血圧計本体から外れるのを防止できる。
好ましくは、各前記腕帯部は、前記阻血用空気袋と、前記上腕に装着された時に対向位置になるように配置された２つのコロトコフ音検出用空気袋とを収納していることを特徴とする。  
上記構成によれば、被測定者の上腕の周囲長さに合った腕帯部を用いて、コロトコフ音を検出して血圧を検出できる。
【００１１】
本発明の血圧計は、被測定者の上腕に装着され、前記上腕を阻血する阻血用空気袋と前記阻血用空気袋に接続されているチューブと該チューブの端部に設けられた接続部材とを備えた腕帯部と、前記接続部材を用いて着脱可能に接続させる血圧計本体と、からなり、前記血圧計本体は、接続された前記腕帯部により前記上腕を加圧する際に前記腕帯部の前記阻血用空気袋内に空気を供給する加圧手段と、制御部と、前記阻血用空気袋内の圧力を減圧する減圧手段とを備え、前記制御部により前記加圧手段と前記減圧手段を制御して血圧を測定するものであり、  前記接続部材は、前記血圧計本体に形成された１対の孔部に対して、弾性変形することで着脱可能にはめ込まれる所定の長さを有する１対の突起部を有することを特徴とする。上記構成によれば、血圧計本体側に腕帯部を接続する際に接続と取り外しが容易で、接続時には、クリック感が得られる。
【発明の効果】
【００１２】
本発明によれば、血圧計本体側に腕帯部を接続する際に、腕帯部のサイズの判断を行うことができる血圧計を提供することができる。
また、血圧計本体側に腕帯部を接続する際に接続と取り外しが容易で、接続時には、クリック感が得られる血圧計を提供することができる。
【図面の簡単な説明】
【００１３】
【図１】本発明の血圧計の実施形態の全体を示す斜視図である。
【図２】図２（Ａ）は、図１に示す血圧計の血圧計本体を左後ろ側から見た斜視図である。図２（Ｂ）は、図１に示す血圧計の血圧計本体を右後ろ側から見た斜視図である。
【図３】図３（Ａ）は、腕帯部の内部構造例を示す断面図であり、図３（Ｂ）は、腕帯部を折り畳んだ状態を示す正面図であり、図３（Ｃ）は、腕帯部を折り畳んだ状態を示す斜視図である。
【図４】折り畳まれた腕帯部が筐体部の背面側に保持部を用いて着脱可能に収納される様子を示す側面図である。
【図５】図５（Ａ）は、エアプラグの外観を示す斜視図であり、図５（Ｂ）は、エアプラグの内部構造を示す断面図である。
【図６】血圧計本体の底部を示す図である。
【図７】図７（Ａ）は、蓋体を開けて電池収納部内に４本の単三電池が収納されている状態を示し、図７（Ｂ）は、電池収納部内から４本の単三電池が取り除かれた状態を示す図である。
【図８】電池収納部の電池収納用凹部と傾斜部の形状例を示す断面図である。
【図９】血圧計本体の筐体部から表示面部を取り外して、筐体部の内部を露出させた状態を示す斜視図である。
【図１０】血圧計本体の筐体部から表示面部を取り外して、筐体部の内部を露出させた状態を示す別の角度から見た斜視図である。
【図１１】筐体部の図７に示す底部を取り除き筐体部内を示す図である。
【図１２】２つの駆動ポンプと、制御バルブと排気バルブと、接続配管系と、その他の要素を示す図である。
【図１３】腕帯部の阻血用空気袋と、Ｋ音信号を検出する２つのＫ音検出用空気袋と、コンデンサマイクロフォン等と、接続配管系の接続関係を示す図である。
【図１４】被測定者が腕帯部に上腕Ｔを通して、阻血用空気袋にエアを供給して上腕Ｔを加圧して血圧測定をしている例を示す図である。
【図１５】図１に示す血圧計のブロック構成図である。
【図１６】図１６は、図５(Ａ)に示すエアプラグ６の差し込み保持部と血圧計本体側のエアプラグ差し込み口の構造例を詳しく示す斜視図である。
【図１７】図１６(Ａ)に示すエアプラグと図１６（Ｂ）に示す第１孔部と第２孔部を、ＷＳ１方向から見た図である。
【図１８】本発明の別の実施形態を示す図である。
【図１９】本発明のさらに別の実施形態を示す図である。
【図２０】制御部の好ましい構成の一例と動作例を示す図である。
【図２１】血圧計の周囲温度を検出する温度センサと表示部を示す図である。
【図２２】本発明の実施形態を示す図である。
【図２３】本発明の別の実施形態を示す図である。
【発明を実施するための形態】
【００１４】
以下に、本発明の好ましい実施形態を、図面を参照して詳しく説明する。
図１は、本発明の血圧計の実施形態の全体を示す斜視図である。図２（Ａ）は、図１に示す血圧計の血圧計本体を左後ろ側から見た斜視図である。図２（Ｂ）は、図１に示す血圧計の血圧計本体を右後ろ側から見た斜視図である。
図１に示す血圧計１は電子血圧計ともいい、この血圧計１では、例えば２種類のサイズの腕帯部２と腕帯部２Ａが用意されている。腕帯部２と腕帯部２Ａと血圧計本体１０とは、別体になっており、図１と図２に示す血圧計本体１０から、図１に示す腕帯部２あるいは腕帯部２Ａを分離して使用する。この血圧計１は、腕帯部と本体部が一体となった一体型血圧計と違い、被測定者が座位にて測定する時に、血圧計本体１０の設置場所が被測定者から前方に離れていても、腕帯部２を上腕Ｔに装着する、あるいは腕帯部２Ａを上腕Ｔ１に装着することで、背を伸ばして腹圧の掛からない状態で血圧測定が可能である。
【００１５】
図１に示す腕帯部２は第１腕帯部の一例であり大カフともいい、腕帯部２Ａは第２腕帯部の一例であり小カフともいう。腕帯部２は、被測定者の上腕Ｔの腕周りの寸法が大きい場合に装着するのに用いられ、腕帯部２Ａは、被測定者の上腕Ｔの腕周りの寸法が比較的小さい場合に装着するのに用いられる。腕帯部２と腕帯部２Ａは、同様の構造を有しているが、大きさが異なる。腕帯部２と腕帯部２Ａは、それぞれ異なる一定（所定）の外周長さを有しており、腕帯部２の外周長さは、腕帯部２Ａの外周長さに比べて大きい。腕帯部２と腕帯部２Ａは、それぞれ折り畳み可能で柔らかな材質で作られた切れ目の無いソフトな筒体であり、２つの開口部１１Ｐ、１１Ｒを有している。
【００１６】
被測定者の上腕Ｔに腕帯部２を装着すると、開口部１１Ｐは手指側に位置され、反対側の開口部１１Ｒは肩側に位置される。開口部１１Ｒの内径は、開口部１１Ｐの内径よりも大きい。被測定者の手指は、開口部１１Ｒ側から開口部１１Ｐにかけて挿入することで、腕帯部２は、被測定者の肘よりも上の上腕Ｔに保持して血圧を測定するようになっている。
同様にして、被測定者の上腕Ｔ１に腕帯部２Ａを装着すると、開口部１１Ｐは手指側に位置され、反対側の開口部１１Ｒは肩側に位置される。開口部１１Ｒの内径は、開口部１１Ｐの内径よりも大きい。被測定者の手指は、開口部１１Ｒ側から開口部１１Ｐにかけて挿入することで、腕帯部２Ａは、被測定者の肘よりも上の上腕Ｔ１に保持して血圧を測定するようになっている。
【００１７】
腕帯部２は、上腕Ｔを阻血するための第１阻血用空気袋としての阻血用空気袋１４と、Ｋ音（コロトコフ音）信号を検出するための２つのＫ音検出用空気袋５０を内蔵している。阻血用空気袋１４は、血圧計本体１０側からエアを供給することにより上腕Ｔの動脈を加圧して阻血する。阻血用空気袋１４の空気収容容量は、Ｋ音検出用空気袋５０の空気収容容量に比べて大きい。図１に示すように、２つのＫ音検出用空気袋５０は、腕帯部２が上腕Ｔに装着された状態では、対向位置になるように配置されている。
同様にして、腕帯部２Ａは、上腕Ｔ１を阻血するための第２阻血用空気袋としての阻血用空気袋１４Ａと、Ｋ音（コロトコフ音）信号を検出するための２つのＫ音検出用空気袋５０を内蔵している。阻血用空気袋１４Ａは、血圧計本体１０側からエアを供給することにより上腕Ｔ１の動脈を加圧して阻血する。阻血用空気袋１４Ａの空気収容容量は、Ｋ音検出用空気袋５０の空気収容容量に比べて大きい。図１に示すように、２つのＫ音検出用空気袋５０は、腕帯部２が上腕Ｔに装着された状態では、対向位置になるように配置されている。
しかも、腕帯部２の阻血用空気袋１４が収容できる空気容量は、腕帯部２Ａの阻血用空気袋１４Ａが収容できる空気容量に比べて大きいのが特徴である。
Ｋ音検出用空気袋５０はＫ音を検出するための空気袋であり、Ｋ音は、腕帯部２の阻血用空気袋１４の内圧あるいは腕帯部２Ａの阻血用空気袋１４Ａの内圧を最高血圧以上に上げて血管を一旦圧閉した後、内圧を徐々に下げて内圧が最高血圧以下になり、血管が開き始めると発生し、内圧が最低血圧以下になり、血管の圧閉が消失するまでの間検出できる音信号である。
【００１８】
図１に示すように、腕帯部２と血圧計本体１０は、エアチューブ４，５とエアプラグ６を介して接続されている。エアチューブ４，５は、好ましくは複胴管（複導管ともいう）を構成しているフレキシブルなエラストマチューブである。エアチューブ４，５は、全長に渡って（あるいはほぼ全長に渡って）一体的に形成されている。第１エアチューブとしてのエアチューブ４は、腕帯部２の阻血用空気袋１４へのエアの給排気に用いられ、第２エアチューブとしてのエアチューブ５は、Ｋ音信号を検出する２つのＫ音検出用空気袋５０へのエアの給排気に用いられる。エアチューブ４はエアチューブ５に比べてより太いチューブであり、エアチューブ４の内径と外径は、エアチューブ５の内径と外径に比べて大きく設定されている。
【００１９】
同様にして、図１に示すように、腕帯部２Ａと血圧計本体１０は、エアチューブ４，５とエアプラグ６を介して接続されている。エアチューブ４，５は、好ましくは複胴管（複導管ともいう）を構成しているフレキシブルなエラストマチューブである。エアチューブ４，５は、全長に渡って（あるいはほぼ全長に渡って）一体的に形成されている。第１エアチューブとしてのエアチューブ４は、腕帯部２Ａの阻血用空気袋１４Ａへのエアの給排気に用いられ、第２エアチューブとしてのエアチューブ５は、Ｋ音信号を検出する２つのＫ音検出用空気袋５０へのエアの給排気に用いられる。
【００２０】
まず、図１と図３を参照して、腕帯部２の構造例を代表して説明するが、腕帯部２と腕帯部２Ａは大きさが異なるだけで同様の構造を有しているので、腕帯部２Ａの構造の説明は、腕帯部２の構造の説明を援用する。
図３（Ａ）は、腕帯部２の内部構造例を示す断面図であり、図３（Ｂ）は、腕帯部２を折り畳んだ状態を示す正面図であり、図３（Ｃ）は、腕帯部２を折り畳んだ状態を示す斜視図である。
図１と図３に示すように、腕帯部２は、外周方向に沿っては切れ目のない筒状の部材であり、所定（一定）の長さの外周を有していて、この腕帯部２の中に被測定者の上腕Ｔを通すことができるようになっている。図３（Ｂ）と図３（Ｃ）に示すように、腕帯部２は被測定者が簡単に折り畳むことができる柔軟性を有し、図１と図３（Ａ）に示すように、例えば外布１６と、内布１７と、上腕Ｔを阻血するための阻血用空気袋１４と、Ｋ音信号を検出する２つのＫ音検出用空気袋５０を有している。
【００２１】
外布１６の内側面と内布１７の外側面は、阻血用空気袋１４と２つのＫ音検出用空気袋５０を包んでおり、外布１６と内布１７は、阻血用空気袋１４と２つのＫ音検出用空気袋５０が収納可能なド−ナツ状の空間を作るために、外布１６の端部と内布１７の端部は、例えば縫製により接合している。
なお、２つのＫ音検出用空気袋５０は、好ましくは腕帯部２の長手方向（軸方向）の中間位置よりも開口部１１Ｐ側寄りの位置（肩側寄りではなく、手指より側の位置）に配置するのが良い。このようにすることで、２つのＫ音検出用空気袋５０のいずれかを上腕Ｔの動脈に対応する部分に当てることができる。
【００２２】
外布１６は、阻血用空気袋１４の外面を覆う筒体でなり、円周方向及び長手方向に非伸縮性の材料で形成されており、変形可能であるが伸縮性が非常に低いかほとんど無い布部材である。これにより、外布１６は、阻血用空気袋１４と２つのＫ音検出用空気袋５０内にエアを供給した際に、阻血用空気袋１４と２つのＫ音検出用空気袋５０が腕帯部２の半径方向の外側に膨れないようにすることができ、阻血用空気袋１４と２つのＫ音検出用空気袋５０は半径方向の内側である上腕Ｔ側に膨れることになる。このため、阻血用空気袋１４と２つのＫ音検出用空気袋５０の圧力は、腕帯部２の外側へは逃げずに上腕に対して加圧でき、正確な血圧測定をすることができる。
【００２３】
外布１６は、例えば伸びにくい生地（２０１ＢＥ）を採用でき、引張強度は、ＪＩＳ  Ｌ１０９６−Ａ法で測定した値として、タテが１４３０Ｎ／ｉｎ〜１４６０Ｎ／ｉｎで、ヨコが８１０Ｎ／ｉｎ〜８５０Ｎ／ｉｎである。さらには、タテが１４３０Ｎ／ｉｎ〜１４６０Ｎ／ｉｎで、ヨコが８１０Ｎ／ｉｎ〜８５０Ｎ／ｉｎであることが好ましい。タテとヨコともに、この数値範囲よりも小さいと阻血用空気袋１４の外側への膨らみの抑制が弱くなり、また、この数値範囲よりも大きいと上腕Ｔの挿入に影響が出る可能性がある。外布１６としては、例えば、ポリエステル１００％の生地を用いると、タテが１４４５Ｎ／ｉｎで、ヨコが８２７Ｎ／ｉｎである。
【００２４】
内布１７は、阻血用空気袋１４と２つのＫ音検出用空気袋５０の内面を覆う筒体でなり、変形可能で伸縮性を有し、上腕Ｔの被測定面に当接する当接布部である。内布１７は、弾性を備えていてしかも伸縮性を有する布部材である例えば伸びやすい生地を採用でき、引張強度は、ＪＩＳ  Ｌ１０９６−Ａ法で測定した値として、タテが９４．９Ｎ／ｉｎで、ヨコが１５０．７Ｎ／ｉｎである。引張伸度は、ＪＩＳ  Ｌ１０９６−Ａ法で測定した値として、タテが５１７％で、ヨコが４００％である。内布としては、例えば、ナイロン８０％、ポリウレタン２０％の生地である。内布１７は、阻血用空気袋１４と２つのＫ音検出用空気袋５０が上腕Ｔの被測定面に向けて膨張できるように伸縮性を持たせた素材にて、かつ、腕帯部２を被測定者の手先から挿入して、肘の上部の上腕Ｔまでスライドさせて装着させる必要があるので、スベリの良い材質、例えば、ジャ−ジ素材を使用している。
【００２５】
図１と図３（Ａ）〜図３（Ｃ）に示すように、開口閉鎖部材３０は、腕帯部２の内部において、開口部１１Ｐ側であってしかもエアチューブ４とエアチューブ５が導出（接続）されている側に設けられている。この開口閉鎖部材３０は、例えば着脱可能な面ファスナーを用いることができ、面ファスナーのオス部材３１とメス部材３２を有している。オス部材３１とメス部材３２は、腕帯部２の内側において対面する位置に固定されており、図３（Ｂ）と図３（Ｃ）に示すように、オス部材３１とメス部材３２を着脱可能に連結することにより、腕帯部２の開口部１１Ｐ側だけを閉じて、開口部１１Ｒは開放した状態に維持することができる。
【００２６】
これにより、腕帯部２に対して開口閉鎖部材３０を設けることで、被測定者が腕帯部２に対して手先を通して血圧測定をしようとする際に、閉じている開口部１１Ｐ側からは手先を通すことが無く、開いている開口部１１Ｒ側から迷わずに手先を通すことができる。このため、被測定者が腕帯部２に対して誤って手先を開口部１１Ｐ側から逆挿入してしまうことを防止することができる。もし、被測定者が腕帯部２に対して開口部１１Ｐ側から逆挿入してしまうと、Ｋ音検出用空気袋５０が上腕Ｔの動脈に適切に当たらなくなり、正確に血圧測定ができなくなる。
また、腕帯部２に対して開口閉鎖部材３０を設けることで、腕帯部２を使用しない時に折り畳むのが容易にできる。
【００２７】
図１と図３に示すように、腕帯部２は、方向視認用部材であるタグ３３を有している。このタグ３３は、開口部１１Ｒ側であって、外布１６に対して例えば接着剤を用いるか、縫製により固定されている。タグ３３は、腕帯部２の開口部１１Ｒ側の端部からＶ方向に沿って突出して設けられており、例えば布部材あるいはプラスチック部材により作ることができる。図３（Ａ）に示すように、被測定者が例えば腕帯部２に左腕を挿入して血圧測定をする際には、タグ３３を右腕の指Ｆでつかんで腕帯部２をＶ方向に移動することができる。このタグ３３には、好ましくは「肩側」表示３３Ｓを表記することができる。これにより、被測定者は、このタグ３３をつかんでＶ方向に移動するだけで上腕Ｔに対して腕帯部２の装着動作が容易にできるばかりでなく、腕帯部２の装着方向が明確になるので、開口部１１Ｒ側から迷わずに手先を通すことができる。このため、被測定者が腕帯部２に対して誤って手先を開口部１１Ｐ側から逆挿入してしまうことを防止することができる。すなわち、チューブ側の開口部を閉じることができるので、被測定者が上腕に対して誤って逆方向に装着することを容易に防止でき、被測定者が上腕に対して正しい方向に装着することができる。
上述した腕帯部２の構造例は、腕帯部２Ａの構造と同様であり、腕帯部２と腕帯部２Ａは大きさが異なる。
【００２８】
次に、血圧計本体１０の構造例について説明する。
図１と図２に示すように、血圧計本体１０は、筐体部６０と、表示面部６１と、腕帯部２の保持部６２を有している。筐体部６０と表示面部６１と保持部６２は、電気絶縁性を有する材料、例えばプラスチックにより作られている。表示面部６１は、筐体部６０の前面側に設けられ、被測定者が表示部６３に表示される表示内容が見やすいように傾斜角度θを６０度程度に傾斜されている。
図２（Ａ）と図２（Ｂ）に示すように、筐体部６０は、側面部６８，６９と、背面６６と、破線で示す前面側開口部７０と、筐体部６０から突出して設けられた上面部７１と、底部７２を有している。
図１に示すように、表示面部６１は、表示部６３と、透明な例えばアクリル板のような保護板６４と、枠状の保持部材６５を有している。表示部６３は保持部材６５により保持され、保護板６４は保持部材６５に固定されて表示部６３の表面を保護している。この保持部材６５は、筐体部６０の破線で示す前面側開口部７０に対して着脱可能に装着されている。この保持部材６５を筐体部６０から取り外すことにより、筐体部６０の破線で示す前面側開口部７０を通じて筐体部６０の内部を露出させることができる。
【００２９】
図２に示すように、腕帯部の保持部６２は、筐体部６０の背面側に着脱可能に取り付けられている。図４には、折り畳まれた腕帯部２あるいは腕帯部２Ａが筐体部６０の背面６６側に保持部６２を用いて着脱可能に収納される様子を示している。
腕帯部の保持部６２は、保持面６２Ａと脚部６２Ｂを有している。筐体部６０の下部側には、差込口６７が形成されている。脚部６２Ｂの先端部６２Ｃは、この差込口６７に挿入されることにより、腕帯部の保持部６２は、筐体部６０の背面６６側に着脱可能に取り付けることができる。保持面６２Ａと筐体部６０の背面６６の間には、折り畳まれた腕帯部２あるいは腕帯部２Ａを着脱可能に収納することができる。
【００３０】
これにより、被測定者が腕帯部２あるいは腕帯部２Ａを使用しない場合には、折り畳まれた腕帯部２あるいは腕帯部２Ａを容易にしかも確実に収納することができる。被測定者が血圧測定しない場合に、腕帯部２あるいは腕帯部２Ａが筐体部６０の背部にあるので、被測定者は、腕帯部２あるいは腕帯部２Ａにより邪魔されることなく、表示部６３の表示内容例えば時間や室温等を目視で確認できるので、血圧測定に適した温度(環境温度)であるか否か容易に確認でき、更には、血圧計１の見栄えを良くすることができる。このため、血圧計本体１０は、使用しない時には例えば時計としてリビングルーム等に飾っておくことができる。
【００３１】
図２（Ａ）に示すように、筐体部６０の側面部（筐体部６０の正面に向かって左側側面部）６８の下部位置には、Ｏ−リング(不図示)を備えたエアプラグ差込口７３が形成されている。このエアプラグ差込口７３には、エアプラグ６が着脱可能に装着できる。エアプラグ差込口７３は、エアプラグ６の形状に合わせて、上部分７３Ａの幅ｄ１は、丸み形状の下部分７３Ｂの幅ｄ２に比べて大きく設定されている。エアプラグ差込口７３の内部には、差し込み穴７３Ｇ、７３Ｈを有している。
【００３２】
一方、エアプラグ６の構造例は、図５に示している。図５（Ａ）は、エアプラグ６の外観を示す斜視図であり、図５（Ｂ）は、エアプラグ６の内部構造例を示す断面図である。
図５（Ａ）に示すように、エアプラグ６はチューブの接続部材の一例であり、例えばプラスチックにより作られており、筐体６Ａと、接続筒部６Ｂ、６Ｃと、弾性を有する接続ガイド部６Ｄを有する。
図５（Ｂ）に示すように、接続筒部６Ｂ、６Ｃは、筐体６Ａの一方の面からＪ１方向に平行に突出して形成されている。これらの接続筒部６Ｂ、６Ｃは、エアプラグ差込口７３の差し込み穴７３Ｇ、７３Ｈにそれぞれ着脱可能に挿入される。図５（Ａ）に示す接続ガイド部６Ｄは、上部分６Ｆと、下部分６Ｇ、そして左右の第１突起部７０１と第２突起部７０２を有している。接続ガイド部６Ｄの上部分６Ｆは、図２（Ａ）に示すエアプラグ差込口７３の上部分７３Ａに案内して挿入され、接続ガイド部６Ｄの下部分６Ｇは、図２（Ａ）に示すエアプラグ差込口７３の下部分７３Ｂに案内して挿入されるようになっている。
【００３３】
これにより、エアプラグ６は、エアプラグ差込口７３に対して上下逆に装着されることを防止しており、血圧計本体１０側から腕帯部２の阻血用空気袋１４と２つのＫ音検出用空気袋５０、あるいは腕帯部２Ａの阻血用空気袋１４Ａと２つのＫ音検出用空気袋５０に対して逆にエア供給されることはない。エアプラグ６に接続される腕帯部は、図１に示すように、大きいサイズの腕帯部２と小さいサイズの腕帯部２Ａの２種類が用意されており、被測定者の上腕の周囲長さの大小に合わせて、最も適合した腕帯部を選択できるようになっている。また、エアプラグ６は、血圧計本体１０の正面に向かって側面に設けることで、駆動ポンプ１１０が万一暴走して、異常に腕帯部２あるいは腕帯部２Ａが加圧された場合でも、複雑な電子回路や異常時のスイッチを設けたりすることなく、使用者がエアプラグ６を引き抜くことで、腕帯部２の異常加圧を極めて容易に回避できる。
【００３４】
図５（Ｂ）に示すように、第１接続筒部８０と第２接続筒部８１が、筐体６Ａの他方の面からＪ２方向に沿って平行に突出して形成されている。第１接続筒部８０は、筐体６Ａの第１当接位置Ｃ１からＪ２方向に突出して形成され、第２接続筒部８１は、筐体６Ａの第２当接位置Ｃ２かＪ２方向に突出して形成されている。Ｊ２方向はＪ１方向とは反対である。第１接続筒部８０にはエアチューブ４の先端部４Ａが着脱可能に接続され、第２接続筒部８１にはエアチューブ５の先端部５Ａが着脱可能に接続されている。図２（Ａ）に示す例では、エアチューブ５側が下側でエアチューブ４が上側で接続される。
【００３５】
図５（Ｂ）に示すように、第２当接位置Ｃ２は、第１当接位置Ｃ１に比べて、Ｊ２方向（エアチューブの長手方向に相当）に沿って突出した位置に形成されており、第２当接位置Ｃ２と第１当接位置Ｃ１の間には、Ｊ２方向（長手方向）に段差ＤＥが形成されている。これにより、エアチューブ４に比べて細いエアチューブ５の長さは、エアチューブ４の長さに比べて、Ｊ２方向に沿って長手方向の落差（突出寸法）ＤＥ分だけ長さに余裕ができる。このため、細いエアチューブ５が、エアチューブ４につられてむやみに引っ張り力が掛からなくなり、２本のエアチューブ４，５の連結部（嵌合部）７９が並行になり、エアチューブ４，５の外観上の見栄えを良好にできる。すなわち、コロトコフ音検出用空気袋に接続する細径の第２エアチューブ５と阻血用空気袋に接続する大径の第１エアチューブ４がエアプラグ６の付近において並行になり、細径の第２エアチューブ５の長さが大径の第１エアチューブ４の長さに比べて突出して形成されている分だけ余裕ができるので、細径の第２エアチューブ５が大径の第１エアチューブ４に引っ張られて引張力が掛かることが無く、エアプラグ６付近の外観上の見栄えを良好にすることができる。
【００３６】
しかも、太いエアチューブ４側の第１当接位置Ｃ１に対応する筐体６Ａの接続ガイド部６Ｄの下部分６Ｇの幅ｄ２は、細いエアチューブ５側の第２当接位置Ｃ２に対応する筐体６Ａの接続ガイド部６Ｄの上部分６Ｆの幅ｄ１と異なる値に、図示例では、幅ｄ２が幅ｄ１に比べて小さく設定されている。これにより、エアプラグ６が図２（Ａ）に示すエアプラグ差込口７３に対して上下逆の位置に挿入されてしまうことを防止できる。
なお、図示例とは逆に、太いエアチューブ４側の第１当接位置Ｃ１に対応する筐体６Ａの接続ガイド部６Ｄの下部分６Ｇの幅ｄ２は、細いエアチューブ５側の第２当接位置Ｃ２に対応する筐体６Ａの接続ガイド部６Ｄの上部分６Ｆの幅ｄ１に比べて大きく設定してもよい。この場合には、図２（Ａ）に示すエアプラグ差込口７３には、図２（Ａ）の例とは逆にエアチューブ５側が上側でエアチューブ４が下側で接続される。
【００３７】
図２（Ｂ）に戻ると、筐体部６０の側面部（エアプラグ差込口７３が形成された側面部６８とは反対側）６９には、スピーカ８５と、ＡＣアダプタを接続するための接続穴８６が設けられている。この接続穴８６には、ＡＣアダプタ８７の接続ジャック８７Ａが接続されることで、血圧計本体１０には商用電源から電源供給できる。接続穴８６は、エアプラグ差込口７３は、設けられている配置も大きさも形状も全く異なるため、エアプラグ６を間違えて差し込むことが防止できる。
図２（Ａ）に示すように、筐体部６０の上面に突出して設けられたボタン配置部７１の上面部７１Ｃには、筐体部６０の正面に向かって、右側から、開始／停止スイッチ８８、メモリ―ボタン８８Ｍ、時刻設定／メモリ―消去ボタン８８Ｔの各種の操作ボタンが配置されている。
この開始／停止スイッチ８８は、他のスイッチより１．５倍程度大きく(幅広)に形成され、また、開始／停止スイッチボタン８８は、表示面部６１に向かって、ボタン配置部７１の上面部７１Ｃの一番右側の角に近い場所に設けられているのと併せて指で押す面積が大きく設定されていることから、被測定者が開始／停止スイッチボタン８８を通常時や緊急時に押すことが容易になる。こうして、開始／停止スイッチボタン８８は、被測定者が押すことにより血圧計１の血圧測定動作を緊急に停止させる緊急停止スイッチ機能と、被測定者が押すことにより阻血用空気袋１４と２つのＫ音検出用空気袋５０の圧力を緊急に強制排気させる緊急排気スイッチの機能と、被測定者が押すことにより制御部の動作をリセットさせる制御部のリセット機能を1つのスイッチボタンで兼ねている。  
【００３８】
図６は、筐体部６０の底部７２を示している。底部７２はほぼ長方形状の平面部分であり、底部７２には電池収納部９０が配置され、この電池収納部９０を開閉する蓋体９１を備えている。蓋体９１は、２つのヒンジ９２により電池収納部９０を開閉できる。
図７（Ａ）は、蓋体９１を開けて電池収納部９０内に４本の単３形電池９３が収納されている状態を示し、図７（Ｂ）は、電池収納部９０内から４本の単３形電池９３が取り除かれた状態を示している。４本の単３形電池９３は、血圧計１の駆動電源であるが、乾電池（一次電池）であっても充電池（二次電池）であっても良い。電池のサイズは、単３形電池に限らず、他の大きさの電池、例えば単２形電池であっても良い。電池の本数は、４本に限らず、例えば６本以上であっても良い。
電池収納部９０と蓋体９１は、底部７２の幅方向Ｍ及び長さ方向Ｎに関してそれぞれ中央部に設けられている。つまり、電池収納部９０と蓋体９１は、底部７２のほぼ中央位置に設けられている。これにより、内蔵される複数本の単３形電池９３が、筐体部６０の中心位置に配置できるので、筐体部６０の底部７２を置いた場合に、これらの電池の重みにより、血圧計本体１０は転倒しないように安定して置くことができ、血圧計本体１０の安定性を得ることができ、血圧測定が安定して行える。
【００３９】
図７（Ｂ）に示すように、電池収納部９０の内底部分には、２本の単３形電池９３を電気的の直列に配置するために、電池収納用凹部９４と電池収納凹部９５が並列に形成されている。これらの電池収納用凹部９４と電池収納凹部９５は、それぞれ２本の単３形電池９３を動かないように収納するために、例えば断面半円形状の凹部であり、中央位置には長手方向に沿って仕切り部分９６が形成されている。電池収納用凹部９４には、電気接点９０Ａ，９０Ｂが設けられ、電池収納用凹部９５には、電気接点９０Ｃ，９０Ｄが設けられている。電気接点９０Ａ，９０Ｃには、それぞれ単３形電池９３の正極が接触し、電気接点９０Ｂ，９０Ｄには、それぞれ単３形電池９３の負極が接触する。４本の単３形電池９３は、２本ずつ電池収納用凹部９４と電池収納凹部９５にそれぞれ収納されているが、４本の単３形電池９３は電気的には直列に接続されている。
【００４０】
図７（Ｂ）と図８に示すように、電池収納用凹部９４には、２つの傾斜部９７が形成され、同様にして電池収納凹部９５にも、２つの傾斜部９７が形成されている。これらの傾斜部９７の形状は、図８に示しており、それぞれ単３形電池９３の負極側に対応して形成されている。各傾斜部９７は、電池収納用凹部９４からさらに斜めに落とし込まれた部分である。
これにより、図８（Ａ）に示すように、電池収納用凹部９４内に４本の単３形電池９３が収納された状態で、被測定者が指で矢印Ｈ方向に単３形電池９３の負極側を押すことにより、図８（Ｂ）に示すように単３形電池９３の負極側が傾斜部９７内に押し込まれるので、単３形電池９３の正極側は電池収納用凹部９４内から矢印Ｋ方向に持ち上げることができる。従って、被測定者が電池交換する時に電池の取り外しが容易に行え、電池収納部内から電池が不用意に突然飛び出して落としてしまうといったことが生じない。
なお、図７に示すように、蓋体９１の内面には、傾斜部９７に対応する位置に「押す」及び「矢印」表示９９が配置されている。これにより、図７（Ａ）に示すように、被測定者が電池交換する際に、電池収納用凹部９４，９５にそれぞれ単３形電池９３が収納されていても、被測定者は電池を押すべき位置を簡単に知ることができ、電池を取り出して電池交換が容易になる。さらに、電池収納部９０の長手方向に仕切りを設けて２室として単３形電池９３が２個ずつ並列に収納されるようにすることで、電池交換する時に電池の取り外しが更に容易になる。
【００４１】
図９と図１０は、血圧計本体１０の筐体部６０の前面側開口部７０から表示面部６１を取り外して、筐体部６０の内部を露出させた状態を示している。筐体部６０の内部には、回路基板１００と隔壁１０１が配置されている。回路基板１００は、フレキシブル配線板１０２を介して、開始／停止スイッチ８８（図２を参照）等の操作ボタンに対して電気的に接続されている。また、回路基板１００は、フレキシブル配線板１０３を介して表示部６３に電気的に接続されている。
隔壁１０１は、筐体部６０内において筐体部６０と一体的に形成されている。隔壁１０１は、後で説明する加圧手段としての２つの駆動ポンプ１１０と、減圧手段としての制御バルブ１１１と排気バルブ１１２とを、回路基板１００の制御部１２０から隔離するために設けられている。この隔壁１０１を設けることにより、加圧手段である駆動ポンプ１１０と、減圧手段としての制御バルブ１１１と排気バルブ１１２とを、回路基板１００の制御部１２０から距離的に離すことができ、例えば駆動ポンプ１１０が動作するときに生じる熱が、回路基板１００の制御部１２０に伝わりにくくなり、回路基板１２０上に搭載されている要素は熱の影響を受けにくい。
【００４２】
図１１は、筐体部６０の図７に示す底部７２を取り除き筐体部６０内を示している。筐体部６０の内部には、スピーカ８５と接続部８６と、２つの駆動ポンプ（エアポンプ）１１０と、制御バルブ１１１と排気バルブ１１２等が収容されている。
図１２は、２つの駆動ポンプ１１０と、制御バルブ１１１と排気バルブ１１２と、接続配管系と、その他の要素を示している。図１２に示すように、制御バルブ１１１と排気バルブ１１２は、ジャバラ管１２１を介してマニホールド１２２の第１マニホールド部１２２Ａの一端部に接続されている。また、２つの駆動ポンプ１１０は、ジャバラ管１２１を介してマニホールド１２２の第１マニホールド部１２２Ａの一端部に接続されている。第１マニホールド部１２２Ａの他端部は、第２マニホールド部１２２Ｂの一端部に接続されている。
【００４３】
図１と図２（Ａ）に示すように、２つのＫ音検出用空気袋５０に接続されたエアチューブ５の内径と外径は、阻血用空気袋１４あるいは阻血用空気袋１４Ａに接続されたエアチューブ４の内径と外径に比べて、細くしている。これは、２つのＫ音検出用空気袋５０と、血圧計本体１０側に配置された図１２に示すコンデンサマイクロフォン１２５とを接続するために、エアチューブ５は腕帯部２あるいは腕帯部２Ａが上腕Ｔあるいは上腕Ｔ１に装着できる長さを必要とし、しかも２つのＫ音検出用空気袋５０内で発生するＫ音が、エアチューブ５を通過する際に減衰もしくは拡散するのを防いで、Ｋ音がコンデンサマイクロフォン１２５に確実に到達できるようにするためである。
第２マニホールド部１２２Ｂの途中には、可撓性のシリコンチューブのようなチューブ１２３の一端部が接続されている。このチューブ１２３の他端部であって自由端１２４の途中には、コンデンサマイクロフォン１２５が内蔵して設けられている。コンデンサマイクロフォン１２５を用いることにより、圧電マイクロフォンを用いるのに比べて低い周波数の音を検出することができる。これにより、チューブ１２３として例えばシリコンチューブを用いることにより、例えばスピーカ８５が発生する音や、開始／停止スイッチ８８等の各種の操作ボタンの操作に伴い発生する音等のノイズがコンデンサマイクロフォン１２５に達するのを防ぐことができ、低い周波数であるコロトコフ音を確実に検出でき、正確な血圧測定が行える。
【００４４】
シリコンチューブ自体がノイズを吸音でき、コンデンサマイクロフォン１２５は、Ｋ音を検出するために第２マニホールド部１２２Ｂの途中の位置に設けられている。このコンデンサマイクロフォン１２５の外径は、３．５〜４．５ｍｍ、好ましくは４．０ｍｍである。このコンデンサマイクロフォン１２５の外径が、３．５ｍｍよりも小さいとＫ音検出感度が悪くなり、４．５ｍｍよりも大きいとＫ音だけでなく脈波も検出してしまう恐れがあり、Ｓ／Ｎ比が低下する。
なお、図１２に示すように、コンデンサマイクロフォン１２５は、チューブ１２３の途中に形成された分岐部分１２３Ｄ内に配置しても良い。
【００４５】
図１２に示すように、タンク１２６は、２本の接続筒１２６Ａを有しており、２本の接続筒１２６Ａは、チューブ１２７とジャバラ管１２１に対して、それぞれ可撓性を有する抵抗チューブ１２９Ａ，１２９Ｂを介して接続されている。タンク１２６と２本の抵抗チューブ１２９Ａ，１２９Ｂは、エアフィルタ１３０を構成している。第１マニホールド部１２２Ａの途中には、チューブ１２８が接続されており、このチューブ１２８は、エアチューブ５を通じてＫ音検出用空気袋５０に接続されている。
抵抗チューブ１２９Ａ，１２９Ｂの内径は、チューブ１２７と接続筒１２６Ａの内径よりも小さく、抵抗チューブ１２９Ａ，１２９Ｂの端部はチューブ１２７と接続筒１２６Ａ内に挿入することで接続されている。
【００４６】
なお、図１２に示すように、抵抗チューブ１２９Ａ，１２９Ｂの両端部内には、抵抗チューブ１２９Ａ，１２９Ｂが潰れるのを防止するために、円周方向に弾性を有する金属製の割りピンのようなフィルタ部材としてのピン１３３が配置されている。ピン１３３は、長さが７ｍｍ、外径０．８ｍｍ、内径０．５ｍｍである。これにより、抵抗チューブ１２９Ａ，１２９Ｂの両端部が細いチューブであるにもかかわらず、実装時等に潰れることがなく、確実に抵抗チューブ１２９Ａ，１２９Ｂ内にエアを通すことができ、さらにノイズ除去の効果を有する。
また、可撓性を有するチューブ１２３内にも、円周方向に弾性を有する金属製の割りピンのような接続管１３４を配置することができる。接続管１３４は、長さが８〜１２ｍｍ、外径４〜４．５ｍｍ、内径３〜４ｍｍである。これにより、可撓性を有するチューブ１２３であるにもかかわらずつぶれることが無く、確実にコンデンサマイクロフォン１２５に対して、ノイズが除去されたエアを供給することができる。接続管１３４は、長さが１２ｍｍより長いと、実装しづらくなる。また、長さが８ｍｍより短いと、チューブ１２３の揺動の影響を受ける。また、外径が４．５ｍｍより大きいと、実装しづらくなる。
【００４７】
図１３（Ａ）は、腕帯部２の阻血用空気袋１４（あるいは腕帯部２Ａの阻血用空気袋１４Ａ）と、Ｋ音信号を検出する２つのＫ音検出用空気袋５０と、コンデンサマイクロフォン１２５等と、接続配管系の接続関係を示している。図１３（Ｂ）は、エアフィルタ１３０等を示している。
図１３（Ａ）と図１３（Ｂ）に示すように、腕帯部２（あるいは腕帯部２Ａ）は、阻血用空気袋１４（あるいは阻血用空気袋１４Ａ）と、Ｋ音信号を検出する２つのＫ音検出用空気袋５０を有している。阻血用空気袋１４（あるいは阻血用空気袋１４Ａ）と２つのＫ音検出用空気袋５０は、例えば透明のプラスチックシート、一例としてポリウレタンシートにより形成されている。２つのＫ音検出用空気袋５０は、阻血用空気袋１４（あるいは阻血用空気袋１４Ａ）の内面側に例えば両面粘着テープまたは接着剤により固定されており、図１に示すように２つのＫ音検出用空気袋５０は互いに離れている。
なお、Ｋ音検出用空気袋５０が阻血用空気袋１４（あるいは阻血用空気袋１４Ａ）の内側面に少なくとも２つ配置されているのは、左右のいずれの上腕においても測定可能にするためであり、Ｋ音検出用空気袋５０を上腕Ｔの動脈位置に位置させることができる。また、このＫ音検出用空気袋５０が動脈の位置からラジアル方向にずれて装着された場合でも、一方のＫ音検出用空気袋５０が、上腕ＴのＫ音の伝達効率が高い上腕筋部位に配置できる。
【００４８】
図１３（Ａ）と図１３（Ｂ）に示すように、太いエアチューブ４が阻血用空気袋１４（あるいは阻血用空気袋１４Ａ）と制御バルブ１１１、排気バルブ１１２、駆動ポンプ１１０に接続され、細いエアチューブ５が２つのＫ音検出用空気袋５０とコンデンサマイクロフォン１２５に接続されている。太いエアチューブ４と細いエアチューブ５の間には、消音器としてのＴ型のエアフィルタ１３０が接続されている。
このエアフィルタ１３０の抵抗チューブ１２９Ｂが設けられているのは、次の理由からである。血圧測定時に２つのＫ音検出用空気袋５０からのエアチューブ５を通じて得られるＫ音が、抵抗チューブ１２９Ｂを設けることによりエアチューブ４側に漏れないようにして、コンデンサマイクロフォン１２５側に小さなＫ音を音圧が低下しないようにきれいに導けるようにするためである。
【００４９】
また、エアフィルタ１３０の抵抗チューブ１２９Ａが設けられているのは、次の理由からである。図１４は、代表例として、図１に示すように被測定者が腕帯部２に上腕Ｔを通して、阻血用空気袋１４にエアを供給して上腕Ｔを加圧して血圧測定をしている例を示すグラフである。縦軸は圧力を示し、横軸は時間である。なお、図１に示すように被測定者が腕帯部２Ａに上腕Ｔ１を通して、阻血用空気袋１４Ａにエアを供給して上腕Ｔ１を加圧して血圧測定をしている場合でも、阻血用空気袋１４の収容できる空気量が阻血用空気袋１４Ａの収容できる空気量よりも大きいので、図１４のグラフの形は多少異なるが同じような挙動を示す。
【００５０】
図１４において、制御バルブ１１１と２つの駆動ポンプ１１０を作動して、図１３に示す阻血用空気袋１４にエアを供給して上腕を時点ｔ１まで加圧して、その後制御バルブ１１１が作動して阻血用空気袋１４内のエア圧を傾きが一定になるように減圧させていく。この減圧させる途中では最高血圧と最低血圧を検出して、その後排気バルブ１１２を作動して阻血用空気袋１４と２つのＫ音検出用空気袋５０内のエアを抜く。このように、血圧測定中に、上腕を加圧して減圧すると制御バルブ１１１から作動音が生じるので、この作動音がエアチューブ４を通じてコンデンサマイクロフォン１２５に伝わるのを抑制するために、抵抗チューブ１２９Ａが設けられている。
【００５１】
図１５は、図１に示す血圧計１のブロック構成図である。
図１５に示すように、腕帯部２の阻血用空気袋１４あるいは腕帯部２の阻血用空気袋１４Ａが、被測定者の上腕の周囲長さの大小に合わせて、血圧計本体１０に対してエアプラグ６を通じて着脱可能に交換できるようになっている。
図１５に示す腕帯部２の阻血用空気袋１４は、エアチューブ４とエアプラグ６を通じて、血圧計本体１０内のエアフィルタ１３０、圧力検出部（圧力センサ）１４０、２つの駆動ポンプ１１０、制御バルブ１１１、そして排気バルブ１１２に接続可能である。
同様にして、図１５に示す腕帯部２Ａの阻血用空気袋１４Ａは、エアチューブ４とエアプラグ６を通じて、血圧計本体１０内のエアフィルタ１３０、圧力検出部（圧力センサ）１４０、２つの駆動ポンプ１１０、制御バルブ１１１、そして排気バルブ１１２に接続可能である。
【００５２】
Ｋ音信号を検出するＫ音検出用空気袋５０は、エアチューブ４を通じて、血圧計本体１０内のコンデンサマイクロフォン１２５に接続されている。圧力検出部（圧力センサ）１４０は、腕帯部２の阻血用空気袋１４内の圧力あるいは腕帯部２Ａの阻血用空気袋１４Ａ内の圧力を検出することができる。２つのＫ音検出用空気袋５０は、図１５に示すように２つ（上腕に腕帯部を装着したときに円周方向で対向位置になる）設けることで、Ｋ音を的確に検出できるが、１つでもよい。
【００５３】
２つの駆動ポンプ１１０は、腕帯部２内の阻血用空気袋１４と２つのＫ音検出用空気袋５０にエアを供給して腕帯部２内の上腕を加圧する加圧手段である。あるいは２つの駆動ポンプ１１０は、腕帯部２Ａ内の阻血用空気袋１４Ａと２つのＫ音検出用空気袋５０にエアを供給して腕帯部２Ａ内の上腕を加圧する加圧手段でもある。
このように、２つの駆動ポンプ１１０を用いるのは、収容する空気量が大きい腕帯部２を使用する場合には、２つの駆動ポンプを駆動させ、阻血用空気袋１４と２つのＫ音検出用空気袋５０にエアを供給できるようにするためである。しかし、収容する空気量が比較して小さい腕帯部２Ａを使用する場合には、１つの駆動ポンプ１１０を駆動させ、阻血用空気袋１４Ａと２つのＫ音検出用空気袋５０にエアを供給できる。これにより、血圧計本体１０の省電力化を図ることができる。
制御バルブ１１１と排気バルブ１１２は、腕帯部２内の阻血用空気袋１４と２つのＫ音検出用空気袋５０内のエアを抜いて、加圧した上腕Ｔ（図１を参照）を減圧する減圧手段である。また、制御バルブ１１１と排気バルブ１１２は、腕帯部２Ａ内の阻血用空気袋１４Ａと２つのＫ音検出用空気袋５０内のエアを抜いて、加圧した上腕Ｔ１（図１を参照）を減圧する減圧手段でもある。
【００５４】
図１５では、制御部１２０は、表示部６３に指令を与えて、例えば図１に示すような温度表示、時刻表示、最高血圧、最低血圧等の表示内容を表示させる。制御部１２０には、音声用メモリ１５３とデータメモリ１５４が接続されており、音声メモリ１５３には、血圧計を測定する際に被測定者に対して音声ガイダンス内容が予め記憶されている。制御部１２０は、音声メモリ１５３内の音声ガイダンス内容を、スピーカ８５を通じて被測定者に報知するようになっている。データ用メモリ１５４には、血圧測定に必要な一連の動作を行うためのプログラムが記憶されており、制御部１２０はこのプログラムに従って、血圧測定動作を実施する。
【００５５】
図１５では、開始／停止スイッチ８８が制御部１２０に電気的に接続されている。なお、必要に応じて、この開始／停止スイッチ８８を一定時間以上長く押すことにより、腕帯部２の阻血用空気袋１４あるいは腕帯部２Ａの阻血用空気袋１４Ａに対して連続してエアを供給することで、手動操作（マニュアルモード）により、腕帯部２あるいは腕帯部２Ａの空気圧を上昇させることができるようになっている。
スピーカ８５は、フィルタ１６４を介して制御部１２０に電気的に接続されている。その他に、電源コントロール部１６０、Ｋ音アンプ１６１、ＯＳＣアンプ１６２が、制御部１２０に電気的に接続されている。電源コントロール部１６０は、電池９３とＡＣアダプタ８７に電気的に接続され、所定の直流電圧を制御部１２０に供給する。Ｋ音アンプ１６１は、コンデンサマイクロフォン１２５により検出したＫ音を増幅して制御部１２０に供給する。ＯＳＣアンプ１６２は、コンデンサマイクロフォン１２５により検出した脈波信号を増幅して制御部１２０に供給する。これにより、制御部１２０は、Ｋ音を認識し、脈波を認識し、電池電圧を認識し、音声ガイダンスを合成することができる。
【００５６】
次に、図５と図１６を参照して、接続部材であるエアプラグ６のさらに詳しい構造例について説明する。
図１６は、図５(Ａ)に示すエアプラグ６の差し込み保持部７００と血圧計本体１０側のエアプラグ差し込み口７３の構造例をより詳しく示す斜視図である。図１６(Ａ)は、エアプラグ６側の第１突起部７０１と第２突起部７０２を示し、図１６（Ｂ）は、この第１突起部７０１と第２突起部７０２をそれぞれ差し込んで弾性力で保持させるための第１孔部７１１と第２孔部７１２を示している。このエアプラグ６の差し込み保持部７００は、エアプラグ６側の第１突起部７０１と第２突起部７０２と第１孔部７１１と第２孔部７１２により構成されている。
【００５７】
図１６(Ａ)に示すエアプラグ６側の第１突起部７０１と第２突起部７０２は、所定長さ、例えば長さＬ１がほぼ８〜１０ｍｍ程度で、上部分６Ｆと下部分６Ｇの中間位置において、間隔をおいてほぼＷＳ方向に沿って並行に形成されている。このため、第１突起部７０１と第２突起部７０２は、接続筒部６Ｂ、６Ｃのほぼ左右対称位置において、Ｊ１方向に突出して形成されている。第１突起部７０１と第２突起部７０２は、ともに矢印ＲＪ方向に弾性変形可能な板状の部材であり、それぞれの先端部には、ほぼ断面三角形状の係合部７０１Ｓ、７０２Ｓを有している。
一方、図１６（Ｂ）に示すように、第１孔部７１１と第２孔部７１２は、エアプラグ差し込み口７３を形成している一方と他方の内壁７３Ｍ、７３Ｎに、それぞれ形成されている。第１孔部７１１と第２孔部７１２は、ＷＳ方向にほぼ沿った縦長の溝（幅Ｗが２ｍｍも程度、所定長さ、例えば長さＬ２が１０〜１２ｍｍ程度；但し、Ｌ２＞Ｌ１）であり、第１孔部７１１と第２孔部７１２には、図１６(Ａ)に示すエアプラグ６側の第１突起部７０１の係合部７０１Ｓと第２突起部７０２の係合部７０２Ｓが、それぞれ嵌めこまれるようになっている。また、リブ７１０ａを備え、１ｍｍ程度の厚みｔの補強部７１０を接続筒部６Ｂ、６Ｃの間に設けて接続筒部６Ｂ、６Ｃの補強をしている。
【００５８】
図１７は、図１６(Ａ)に示すエアプラグ６と図１６（Ｂ）に示す第１孔部７１１と第２孔部７１２を、ＷＳ１方向から見た図である。図１７(Ａ)は、エアプラグ６側の第１突起部７０１の係合部７０１Ｓと第２突起部７０２の係合部７０２Ｓが、第１孔部７１１と第２孔部７１２に対してそれぞれ嵌めこまれる前の状態を示し、図１７(Ａ)は、エアプラグ６側の第１突起部７０１の係合部７０１Ｓと第２突起部７０２の係合部７０２Ｓが、第１孔部７１１と第２孔部７１２に対してそれぞれ嵌めこまれた後の状態を示している。
図１７(Ａ)において、被測定者がエアプラグ６をＪ１方向にエアプラグ差し込み口７３に挿入しようとすると、第１突起部７０１の係合部７０１Ｓと第２突起部７０２の係合部７０２Ｓが、それぞれ内壁７３Ｍ、７３Ｎに当たることによりＲＪ１方向に弾性変形される。
【００５９】
そして、図１７（Ｂ）に示すように、被測定者がエアプラグ６をＪ１方向にエアプラグ差し込み口７３にさらに挿入すると、第１突起部７０１の係合部７０１Ｓと第２突起部７０２の係合部７０２Ｓは、それぞれ第１孔部７１１と第２孔部７１２にはまり込むことから、第１突起部７０１の係合部７０１Ｓと第２突起部７０２の係合部７０２Ｓが、ＲＪ２方向にそれぞれ弾性復帰して第１孔部７１１、第２孔部７１２に確実にはまり込んで固定される。
係合部７０１Ｓと第２突起部７０２の係合部７０２Ｓの高さＨは、０．２〜０．５ｍｍで、これにより、エアプラグ６は、これらの第１突起部７０１と第２突起部７０２を用いて、血圧計本体１０側のエアプラグ差し込み口７３に対して、弾性復帰力を利用してクリック感を得て係合させ保持させることができる。
また、取り外す時には、被測定者が図１７（Ｂ）に示すように、ＲＪ３方向に捩じることで第１突起部７０１の係合部７０１Ｓと第２突起部７０２の係合部７０２Ｓを弾性変形させることで、第１突起部７０１の係合部７０１Ｓと第２突起部７０２の係合部７０２Ｓは、第１孔部７１１、第２孔部７１２から簡単に外せるので、エアプラグ６を血圧計本体１０のエアプラグ差し込み口７３から容易に取り外すことができる。
【００６０】
次に、図５と図１６を参照して、大型の腕帯部２と小型の腕帯部２Ａのいずれが、血圧計本体１０のエアプラグ差し込み口７３に差し込まれて接続されたかを検出するための腕帯部の種類検出装置８００について説明する。
この腕帯部の種類検出装置８００は、光学式で大型の腕帯部２と小型の腕帯部２Ａのいずれが、血圧計本体１０のエアプラグ差し込み口７３に差し込まれて接続されているかを検出して、制御部１２０に信号を送って制御部１２０に通知するようになっている。
図５（Ａ）と図５（Ｂ）に示すエアプラグ６は、エアプラグ４，５を介して小型の腕帯部２Ａの阻血用空気袋１４Ａに接続されている。図５（Ｃ）に示すエアプラグ６は、エアプラグ４，５を介して大型の腕帯部２の阻血用空気袋１４Ａに接続されている。
図５（Ａ）と図５（Ｂ）に示すエアプラグ６の接続筒部６Ｂの外周面には、光の反射部材８２０が貼り付けられている。しかし、図５（Ｃ）に示すエアプラグ６の接続筒部６Ｂの外周面には、光の反射部材８２０が貼り付けられていない。
【００６１】
一方、図５（Ｂ）と図５（Ｃ）に示すように、エアプラグ差し込み口７３の差し込み穴７３Ｇの内周面には、光検出器８３０が配置されている。図５（Ｂ）に示すように、この光検出器８３０は、発光部８３１と受光部８３２を有している。図５（Ｂ）に示す小型の腕帯部２Ａのエアプラグ６がＪ１方向に沿ってエアプラグ差し込み口７３に装着されて、小型の腕帯部２Ａのエアプラグ６の接続筒部６Ｂが差し込み穴７３Ｇに挿入される。このため、発光部８３１が発生する光ＬＶが光の反射部材８２０により反射され、この光ＬＶは受光部８３２に受光できる。受光部８３２が光ＬＶを受光すると、受光信号ＶＣが制御部１２０に送られることにより、制御部１２０は、小型の腕帯部２Ａのエアプラグ６が血圧計本体１０側に接続されたと判断することができる。
【００６２】
また、図５（Ｃ）に示す大型の腕帯部２のエアプラグ６がエアプラグ差し込み口７３に装着されて、大型の腕帯部２のエアプラグ６の接続筒部６Ｂが差し込み穴７３Ｇに挿入される。しかし、この大型の腕帯部２のエアプラグ６の接続筒部６Ｂには光の反射部材が配置されていないことから、発光部８３１が発生した光ＬＶが受光部８３２には受光できず、受光信号ＶＣが制御部１２０に送られることはない。従って、図１に例示するように、制御部１２０は、大型の腕帯部２のエアプラグ６が血圧計本体１０側に接続されたと判断することができる。
このように、腕帯部の種類検出装置８００は、大型の腕帯部２と小型の腕帯部２Ａのいずれが選択されて血圧計本体１０のエアプラグ差し込み口７３に差し込まれて接続されたかを、光学的に検出することで、制御部１２０は、被測定者が大型の腕帯部２と小型の腕帯部２Ａのいずれを使用しようとしているのかを判断できる。
【００６３】
以上説明したように、図５と図１６と図１７に示す本発明の実施形態では、被測定者の上腕の周囲長さに応じて使用できるように大型の腕帯部２と小型の腕帯部２Ａが用意されている場合に、どちらの腕帯部が選択されて血圧計本体１０に対してエアチューブ４，５に対して接続されているかどうかを、血圧計本体１０内の制御部１２０が、光学式の腕帯部の種類検出装置８００からの受光信号ＶＣを用いて、自動的に判断をして、その後腕帯部のサイズに応じて適切な空気量を供給できる。すなわち、血圧計本体側から腕帯部に空気を供給する際に、腕帯部の大小を判断して腕帯部の大小に合わせた空気量を供給することができる。
【００６４】
次に、図１８を参照して、本発明の別の実施形態を説明する。
図５に示す本発明の実施形態では、腕帯部の種類検出装置８００は、大型の腕帯部２と小型の腕帯部２Ａのいずれが血圧計本体１０のエアプラグ差し込み口７３に差し込まれて接続されたかを、光学的に検出するようになっている。
これに対して、図１８は、本発明の別の実施形態を示している。
図１８（Ａ）〜図１８（Ｄ）に示す本発明の実施形態では、腕帯部の種類検出装置９００が、大型の腕帯部２と小型の腕帯部２Ａのいずれが血圧計本体１０のエアプラグ差し込み口７３に差し込まれて接続されたかを、機械的に検出するようになっている。すなわち、図１８（Ａ）〜図１８（Ｄ）に示す腕帯部の種類検出装置９００は、小型の腕帯部２Ａ用のエアプラグ６と、大型の腕帯部２用のエアプラグ６とを機械的接触により検出して制御部１２０に信号を送ることにより、制御部１２０は、大型の腕帯部２と小型の腕帯部２Ａのいずれが接続されたかを判断できる。
【００６５】
図１８（Ａ）と図１８（Ｂ）は、小型の腕帯部２Ａ用のエアプラグ６を機械的に検出する様子を示し、図１８（Ｃ）と図１８（Ｄ）は、大型の腕帯部２用のエアプラグ６を機械的に検出する様子を示している。
図１８（Ａ）と図１８（Ｂ）に示す小型の腕帯部２Ａ用のエアプラグ６では、接続筒部６Ｂの長さＢＬＬは、接続筒部６Ｃの長さＣＬＬと同じである。これに対して、図１８（Ｃ）と図１８（Ｄ）に示す大型の腕帯部２用のエアプラグ６では、接続筒部６Ｂ１の長さＢＳＬは、接続筒部６Ｃの長さＣＬＬよりも長く設定されている。
図１８（Ａ）〜図１８（Ｄ）に示すように、エアプラグ差し込み口７３の差し込み穴７３Ｇの内周面には、機械接触型のスイッチ９３０が配置されている。このスイッチ９３０は、可動電気接点９３１と固定電気接点９３２を有している。可動電気接点９３１と固定電気接点９３２は、制御部１２０に電気的に接続されている。
腕帯部の種類検出装置９００は、接続筒部６Ｂ、６Ｂ１、そして機械接触型のスイッチ９３０により構成されている。
【００６６】
図１８（Ｂ）に示すように、エアプラグ６がエアプラグ差し込み口７３に対してＪ１方向に装着されて、小型の腕帯部２Ａ用のエアプラグ６の接続筒部６Ｂが差し込み穴７３Ｇに挿入されても、接続筒部６Ｂの先端部は差し込み穴７３Ｇ内の可動電気接点９３１には達していないので、スイッチ９３０はオンにはならず、オン信号は制御部１２０には送られない。
しかし、図１８（Ｃ）から図１８（Ｄ）に示すように、エアプラグ６がエアプラグ差し込み口７３に対してＪ１方向に装着されて、大型の腕帯部２用のエアプラグ６の接続筒部６Ｂ１が差し込み穴７３Ｇに挿入されると、接続筒部６Ｂ１の先端部は差し込み穴７３Ｇ内の可動電気接点９３１を押圧するので、スイッチ９３０はオンとなり、このオン信号が制御部１２０に送られる。
これにより、図１８に示す本発明の実施形態では、被測定者の上腕の周囲長さに応じて使用できるように大型の腕帯部２と小型の腕帯部２Ａが用意されている場合に、どちらの腕帯部が血圧計本体１０に対してエアチューブ４，５に対して接続されているかどうかを、血圧計本体１０内の制御部１２０が、接触機械式の腕帯部の種類検出装置９００を用いて、自動的に判断をして、その後制御部１２０は、腕帯部のサイズに応じて適切な空気量を供給できる。
【００６７】
次に、図１９を参照して、本発明のさらに別の実施形態を説明する。
図１９に示す本発明の実施形態では、大小２種類のサイズの腕帯部２，２Ａを検出するのではなく、大中小の３種類のサイズの腕帯部２，２Ｂ、２Ａが用意されている場合に用いられる腕帯部の種類検出装置１０００を示している。
図１９（Ａ）は、小型の腕帯部２Ａ用のエアプラグ６を光学的に検出する様子を示し、図１９（Ｂ）は、中型の腕帯部２Ｂ用のエアプラグ６を光学的に検出する様子を示し、図１９（Ｃ）は、大型の腕帯部２用のエアプラグ６を光学的に検出する様子を示している。
【００６８】
図１９（Ａ）に示すように、小型の腕帯部２Ａ用のエアプラグ６の接続筒部６Ｂの外周面には、光の反射部材８２０が貼り付けられているが、エアプラグ６の接続筒部６Ｃの外周面には、光の反射部材８２０が貼り付けられていない。
図１９（Ｂ）に示すように、中型の腕帯部２Ｂ用のエアプラグ６の接続筒部６Ｂの外周面には、光の反射部材８２０が貼り付けられていないが、エアプラグ６の接続筒部６Ｃの外周面には、光の反射部材８２０が貼り付けられている。
さらに、図１９（Ｃ）に示すように、大型の腕帯部２用のエアプラグ６の接続筒部６Ｂ、６Ｃの両方の外周面には、光の反射部材８２０が貼り付けられている。
図１９に示すように、エアプラグ差し込み口７３の差し込み穴７３Ｇ、７３Ｈの内周面には、それぞれ光検出器８３０が配置されている。
腕帯部の種類検出装置１０００は、４つの光の反射部材８２０と２つの光検出器８３０により構成されている。光の反射部材８２０と光検出器８３０は、図５に示す光の反射部材８２０と光検出器８３０と同じものが使用できる。
【００６９】
図１９（Ａ）に示す小型の腕帯部２Ａは阻血用空気袋（第２阻血用空気袋）１４Ａを有しており、上腕Ｔ１に装着される。小型の腕帯部２Ａのエアプラグ６がエアプラグ差し込み口７３に装着されて、小型の腕帯部２Ａのエアプラグ６の接続筒部６Ｂが差し込み穴７３Ｇに挿入される。これにより、発光部８３１が発生する光ＬＶが光の反射部材８２０により反射され、この光ＬＶは受光部８３２に受光できる。受光部８３２が光ＬＶを受光すると、受光信号ＶＣが制御部１２０に送られることにより、制御部１２０は、小型の腕帯部２Ａのエアプラグ６が血圧計本体１０側に接続されたと判断することができる。
また、図１９（Ｂ）に示す中型の腕帯部２Ａは阻血用空気袋（第３阻血用空気袋）１４Ｂを有しており、上腕Ｔ２に装着される。中型の腕帯部２Ｂのエアプラグ６がエアプラグ差し込み口７３に装着されて、中型の腕帯部２Ｂのエアプラグ６の接続筒部６Ｃが差し込み穴７３Ｈに挿入される。これにより、発光部８３１が発生する光ＬＶが光の反射部材７２０により反射され、この光ＬＶは受光部８３２に受光できる。受光部８３２が光ＬＶを受光すると、受光信号ＶＣが制御部１２０に送られることにより、制御部１２０は、中型の腕帯部２Ｂのエアプラグ６が血圧計本体１０側に接続されたと判断することができる。
【００７０】
さらに、図１９（Ｃ）に示す大型の腕帯部２は阻血用空気袋（第１阻血用空気袋）１４を有しており、上腕Ｔに装着される。大型の腕帯部２のエアプラグ６がエアプラグ差し込み口７３に装着されて、大型の腕帯部２のエアプラグ６の接続筒部６Ｂが差し込み穴７３Ｇに挿入され、接続筒部６Ｃが差し込み穴７３Ｈに挿入される。これにより、それぞれの発光部８３１が発生する光ＬＶが光の反射部材８２０により反射され、この光ＬＶは受光部８３２に受光できる。受光部８３２が光ＬＶを受光すると、受光信号ＶＣが制御部１２０に送られることにより、制御部１２０は、大型の腕帯部２のエアプラグ６が血圧計本体１０側に接続されたと判断することができる。
【００７１】
以上説明したように、エアプラグ６の接続筒部６Ｂ、６Ｃに対して選択的に光の反射部材８２０を選択的に貼り付け、しかもエアプラグ差し込み口７３の差し込み穴７３Ｇ、７３Ｈの内周面には、それぞれ光検出器８３０が配置されているので、３種類のサイズの腕帯部２，２Ｂ、２Ａのいずれのエアプラグ６が、血圧計本体１０のエアプラグ差し込み口７３に装着されているかを、判断することができる。
なお、小、中、大の３種類のサイズの腕帯部２Ａ，２Ｂ，２のどの腕帯部が血圧計本体１０に対して、エアコネクタ６を介して接続されたかは、光学式の腕帯部の種類検出装置１０００を用いることで、制御部１２０が判断するだけではなく、３種類のサイズの腕帯部２Ａ，２Ｂ，２を接触機械式の腕帯部の種類検出装置を用いて、制御部１２０が判断するようにしても良い。
【００７２】
図２０（Ａ）は、制御部１２０の好ましい構成と動作の一例を示している。
図２０（Ａ）に示すように、制御部１２０は、中央処理部（ＣＰＵ）１７０と、第１クロック発生部１７１と、第２クロック発生部１７２を有している。中央処理部（ＣＰＵ）１７０は、開始／停止スイッチ８８と、第１クロック発生部１７１と第２クロック発生部１７２に電気的に接続されている。第１クロック発生部１７１は、中央処理部１７０を駆動するための基準クロックを発生して中央処理部１７０に供給し、例えばＡＴカット型の水晶発振器を用いており、発振周波数は３２ＫＨｚである。第２クロック発生部１７２は、例えばレゾネータであり、制御バルブ１１１と排気バルブ１１２の動作の基準周波数を供給する。第２クロック発生部１７２の発振周波数は例えば８ＭＨｚであり、第１クロック発生部１７１の発振周波数に比べて高い。
【００７３】
図２０（Ａ）に示す１つの開始／停止スイッチ８８は、血圧測定動作を開始するために動作開始スイッチと、血圧測定動作を停止するために押すスイッチと、緊急停止スイッチ機能と、緊急排気スイッチの機能を兼ねている。すなわち、被測定者は、図２０（Ａ）に示す開始／停止スイッチ８８を押すことで、図１に示す血圧計１により血圧測定を開始して腕帯部２により上腕Ｔを加圧して通常の血圧測定を行った後に、被測定者が再度開始／停止スイッチ８８を押すことで血圧測定動作を通常停止させることができる。
【００７４】
また、例えば、被測定者は、図２０（Ａ）に示す開始／停止スイッチ８８を押すことで、図１に示す血圧計１により血圧測定を開始して腕帯部２により上腕Ｔを加圧したが、例えば中央処理部１７０の動作が暴走して上腕にかかる力が大きすぎると被測定者が感じた場合に、すぐに被測定者が、血圧計１による血圧測定動作を緊急に停止するために、もう一度開始／停止スイッチ８８を押すことで、駆動ポンプ１１０を停止させて排気バルブ１１２を動作させて腕帯部２内のエアと阻血用空気袋１４と２つのＫ音検出用空気袋５０内のエアを急排気して上腕Ｔに与えている圧力を解除する。このように、１つの開始／停止スイッチ８８が、血圧測定動作を開始するために動作開始スイッチと、血圧測定動作を停止するために押すスイッチと、緊急停止スイッチ機能と、緊急排気スイッチの機能を兼ねているので、開始／停止スイッチ８８を設ければ、緊急停止スイッチや緊急排気スイッチを別途設ける必要が無く、中央処理部１７０の暴走による血圧測定時の不都合を防止できる。
【００７５】
図２０（Ｂ）は、図２０（Ａ）に示す開始／停止スイッチ８８のリセット信号ＲＳとスイッチオン信号ＲＭと、第１クロック発生部１７１の動作の立ち上がりと、第２クロック発生部１７２の動作の立ち上がりの波形例を示している。被測定者は血圧測定操作の際に、上述したように、開始／停止スイッチ８８を複数回繰り返して押すことが生じ、開始／停止スイッチ８８を押してオフにする際には、第１クロック発生部１７１がリセットされてしまう。
図２０（Ｂ）に示すように、開始／停止スイッチ８８がリセット後に、再度スイッチオン信号ＲＭが中央処理部１７０に入ると、第１クロック発生部１７１のクロックの発生動作はスイッチオン信号ＲＭから時間Ｔ１をかけて徐々に立ち上がる。このように、第１クロック発生部１７１の動作の立ち上がりは時間Ｔ１かかり、この時間Ｔ１の間は中央処理部１７０を駆動するクロックが与えられず、時間Ｔ１だけ中央処理部１７０の動作が遅れることになる。
【００７６】
しかし、図２０（Ｂ）に示すように、開始／停止スイッチ８８がリセット後に、再度スイッチオン信号ＲＭが中央処理部１７０に入ると、第２クロック発生部１７２の動作は、スイッチオン信号ＲＭから、時間Ｔ１に比べてかなり短い時間Ｔ２で急速に立ち上がる。従って、第２クロック発生部１７２の動作の立ち上がり時間Ｔ２は、第１クロック発生部１７１の動作の立ち上がり時間Ｔ１に比べて、短縮時間Ｔ３だけ短縮できる。
これにより、第１クロック発生部１７１に加えて第２クロック発生部１７２を用いることで、この第２クロック発生部１７２のクロック信号ＣＳ２が、第１クロック発生部１７１のクロック信号ＣＳ１に先立って中央処理部１７０に供給されるので、短縮時間Ｔ３だけ早く中央処理部１７０の時刻の遅れを補正することができる。すなわち、開始／停止スイッチ８８を複数回押しても中央処理部１７０の時刻ができるだけ遅れないように補正でき、時刻の遅れを防ぐことができる。すなわち、開始／停止スイッチ８８を繰り返して押しても、測定動作の開始と停止がなされた時の制御部１２０の時刻が補正でき、時刻が遅れることが無くなる。
この時間Ｔ２は時間Ｔ１に比べてかなり小さな値であり、時間Ｔ１は例えば１００ｍｓｅｃ〜１ｓｅｃであり、時間Ｔ２は例えば数ｍｓｅｃ〜数１０ｍｓｅｃである。
【００７７】
図２１は、血圧計１の周囲温度を検出する温度センサ１８０，１８１と表示部６３を示している。
図２１（Ａ）では、圧力検知部１４０が温度センサ１８０を内蔵している例を示している。圧力検知部１４０は、圧力測定の際に圧力値の温度補正処理を行うために、予め温度センサ１８０を備えている。この温度センサ１８０が、測定数値を制御部１２０に供給する。制御部１２０は、温度センサ１８０から得られた測定数値により、温度信号ＬＳ１を表示部６３に送り、血圧計１の周囲温度、例えば血圧計１が置かれた場所の室温として、表示部６３には時刻表示１８３、最高血圧値表示１８４、最低血圧値表示１８５とともに、温度表示１８２を表示することができる。
【００７８】
一方、図２１（Ｂ）は、温度センサ１８１が制御部１２０に内蔵されている例を示している。温度センサ１８１が、測定数値を制御部１２０に供給して、制御部１２０は、温度信号ＬＳ２を表示部６３に送り、血圧計１の周囲温度、例えば室温として、表示部６３には時刻表示１８３、最高血圧値表示１８４、最低血圧値表示１８５とともに、温度表示１８２を表示することができる。
これにより、図２１（Ａ）と図２１（Ｂ）のいずれの場合でも、血圧計１の周囲温度を測定するために、別途サーミスタ等の温度センサを設ける必要がなくなり、部品点数を減らすことができる。
また、図９に示すように、制御部１２０と圧力検知部１４０は、駆動ポンプ１１０に対して隔壁１０１により離して設けられているので、駆動ポンプ１１０が動作する際に生じる熱により温度上昇してしまうという問題が無くなり、温度センサ１８０あるいは温度センサ１８１は、血圧計１の周囲温度を正確に検知することができる。なお、例えば、就寝時の温度よりも翌朝の温度が、一例として１
０℃下がっている場合には、制御部１２０は、図１のスピーカ８５を通じて１０℃下がっていると、被測定者に対して音声ガイドをすることができる。
【００７９】
ところで、図１と図３に示す腕帯部２は、タグ３３を有している。これに対して、図２２に示す腕帯部２は、別の形状のタグ２３３を有している。このタグ２３３は、開口部１１Ｒ側から開口部１１Ｐにかけて腕帯部２の長手方向に沿って、外布１６に対して固定されている。タグ２３３は、腕帯部２の開口部１１ＲからＶ方向に沿って突出して設けられているつまみ部分２３３Ａと、図２２（Ｂ）に示すように指Ｆを通すための指挿入部２３３Ｂを有している。タグ２３３は、例えば布部材あるいはプラスチック部材であっても良い。
図２２（Ｂ）に示すように、被測定者が例えば腕帯部２に左腕を挿入して血圧測定をする際には、指挿入部２３３Ｂと外布１６の間に指Ｆを通して腕帯部２を確実に保持して、腕帯部２を左腕に沿ってＶ方向に移動することができる。これにより、上腕Ｔに対して腕帯部２の装着が容易にしかも確実にできるばかりでなく、つまみ部分２３３Ａを見ることで腕帯部２の装着方向が明確になるので、開口１１Ｒ側から迷わずに手先を通すことができる。このため、被測定者が腕帯部２に対して誤って手先を開口部１１Ｐ側から逆挿入してしまうことを防止することができる。すなわち、被測定者が腕帯部を上腕に対して誤って逆方向に装着することを容易に防止でき、被測定者が腕帯部を上腕に対して正しい方向に装着して正しい血圧測定をすることができる。
【００８０】
本発明の血圧計の実施形態は、被測定者の上腕に装着され、上腕を阻血する阻血用空気袋と阻血用空気袋に接続されているチューブとこのチューブの端部に設けられた接続部材とを有し、互いにサイズの異なる複数の腕帯部と、複数の腕帯部の阻血用空気袋を、チューブの接続部材を用いて選択可能に接続させる血圧計本体と、を有し、血圧計本体には、接続された腕帯部により上腕を加圧する際に腕帯部の阻血用空気袋内に空気を供給する加圧手段と、制御部と、阻血用空気袋内の圧力を減圧する減圧手段とを備え、制御部により加圧手段と減圧手段を制御して血圧を測定する血圧計であって、複数の腕帯部のどの種類の腕帯部のチューブの接続部材が、血圧計本体に接続されたかを検出して制御部に通知する腕帯部の種類検出装置を備えることを特徴とする。これにより、血圧計本体側に腕帯部を接続する際に、腕帯部のサイズの判断を行うことができる。
【００８１】
複数の腕帯部は、２種類の腕帯部からなることを特徴とする。これにより、２種類の腕帯部が用意されており、血圧計本体に接続部材を用いて接続する場合に、血圧計本体では各腕帯部のサイズを判断できる。
複数の腕帯部は、３種類の腕帯部からなることを特徴とする。これにより、３種類の腕帯部が用意されており、血圧計本体に接続部材を用いて接続する場合に、血圧計本体では各腕帯部のサイズを判断できる。
【００８２】
腕帯部の種類検出装置は、接続部材に配置された光の反射部材と、血圧計本体に配置されて、接続部材が血圧計本体に装着された状態で、光の反射部材により反射された光を受けて信号を制御部に送る光検出器と、から構成されていることを特徴とする。これにより、血圧計本体では、簡単な構成でありながら光学的に腕帯部のサイズの種類の判断をすることができる。
また、腕帯部の種類検出装置は、血圧計本体に配置されて、接続部材が血圧計本体に装着されると押されることで信号を制御部に送るスイッチであることを特徴とする。これにより、血圧計本体では、簡単な構成でありながら機械的なスイッチを用いて腕帯部のサイズの種類の判断をすることができる。
接続部材は、血圧計本体に形成された孔部に対して、弾性変形することで着脱可能にはめ込まれる突起部を有することを特徴とする。これにより、接続部材の突起部は、血圧計本体の孔部に対して弾性変形することではめ込むことができ、血圧測定を行っている際に接続部材が血圧計本体から外れるのを防止できる。
各腕帯部は、阻血用空気袋と、上腕に装着された時に対向位置になるように配置された２つのコロトコフ音検出用空気袋とを収納していることを特徴とする。これにより、被測定者の上腕の周囲長さに合った腕帯部を用いて、コロトコフ音を検出して血圧を検出できる。
血圧計１は、一つの腕帯部、例えば標準サイズ（Ｍ）の腕帯部を同伴して販売されることができ、これとは別個に上述の実施形態で説明したサイズの異なる腕帯部について、例えばＳサイズのものとＬサイズのものをセット販売してもよい。あるいはＳサイズの腕帯部とＬサイズの腕帯部を別々に独立して販売してもよい。
さらには、血圧計１には、Ｓ、Ｍ、Ｌの３種類のサイズの腕帯部を全て同伴させるか、これらのうちＭサイズの腕帯部とＳか、もしくはＬの腕帯部のいずれかを選んで２種類の腕帯部を同伴させて販売することもできる。
また、特定のサイズの腕帯部と、これに取付けられた種類判別（サイズ判別）手段、すなわち、上記実施形態における反射部材８２０等を備えたエアプラグのセット、すなわち、種類判別可能なエアプラグ付き腕帯（部）を独立した商品として販売することもできる。
【００８３】
本発明の血圧計の実施形態は、被測定者の上腕に装着され、前記上腕を阻血する阻血用空気袋と前記阻血用空気袋に接続されているチューブと該チューブの端部に設けられた接続部材とを備えた腕帯部と、前記接続部材を用いて着脱可能に接続させる血圧計本体と、からなり、前記血圧計本体は、接続された前記腕帯部により前記上腕を加圧する際に前記腕帯部の前記阻血用空気袋内に空気を供給する加圧手段と、制御部と、前記阻血用空気袋内の圧力を減圧する減圧手段とを備え、前記制御部により前記加圧手段と前記減圧手段を制御して血圧を測定するものであり、前記接続部材は、前記血圧計本体に形成された１対の孔部に対して、弾性変形することで着脱可能にはめ込まれる所定の長さを有する１対の突起部を有することを特徴とする。これにより、血圧計本体側に腕帯部を接続する際に接続と取り外しが容易で、接続時には、クリック感が得られ、確実に接続できる。
【００８４】
本発明の各実施形態は、任意に組み合わせることができる。
ところで、本発明は上記実施形態に限定されず、接続筒部が１つのオリロメトリック方式の血圧計，接続筒部が２つの、いわゆるダブルカフのオリロメトリック方式の血圧計等種々の変形例を採用することができる。
図５、図１６そして図１７に示すエアプラグ６の差し込み保持部７００は、接続部材であるエアプラグ６を血圧計本体１０側に対して着脱可能に接続できる構造であるが、このような接続構造は、本発明の図示した各実施形態に適用できる。
図３に示す腕帯部２の開口閉鎖部材３０は、面ファスナーに限らず、例えば一方の部材としてＳ極のマグネットを用い、他方の部材としてＮ極のマグネットを用いることもできる。また、図２３に示すように、外側が剛性を有し、取っ手を備えたプラスチック製の腕帯部２を用い、血圧計本体やコンデンサマイクロフォンの配置構造は、上述のようにしてもよい。
【符号の説明】
【００８５】
１・・・血圧計、２・・・大型の腕帯部（第１腕帯部）、２Ａ・・・小型の腕帯部（第２腕帯部）、４・・・エアチューブ（第１エアチューブ、チューブの一例），５・・・エアチューブ（第２エアチューブ、チューブの一例）、６・・・エアプラグ（チューブの接続部材の一例）、１０・・・血圧計本体、１１Ｐ、１１Ｒ・・・開口部、１４・・・阻血用空気袋（第１阻血用空気袋）、１４Ａ・・・阻血用空気袋（第２阻血用空気袋）、１４Ｂ・・・阻血用空気袋（第３阻血用空気袋）、１６・・・外布１６、１７・・・内布、３０・・・開口閉鎖部材、３３・・・タグ、５０・・・Ｋ音信号を検出する２つのＫ音検出用空気袋、６０・・・筐体部、６１・・・表示面部、６２・・・腕帯部の保持部、１１０・・・加圧手段である２つの駆動ポンプ、１１１・・・減圧手段としての制御バルブ、１１２・・・減圧手段としての排気バルブ、１２０・・・制御部（制御手段）、７００・・・エアプラグの差し込み保持部、８００，９００，１０００・・・腕帯部の種類検出装置、Ｔ，Ｔ１，Ｔ２・・・上腕
【図１】
2012061109.tif 000003
【図２】
2012061109.tif 000004
【図３】
2012061109.tif 000005
【図４】
2012061109.tif 000006
【図５】
2012061109.tif 000007
【図６】
2012061109.tif 000008
【図７】
2012061109.tif 000009
【図８】
2012061109.tif 000010
【図９】
2012061109.tif 000011
【図１０】
2012061109.tif 000012
【図１１】
2012061109.tif 000013
【図１２】
2012061109.tif 000014
【図１３】
2012061109.tif 000015
【図１４】
2012061109.tif 000016
【図１５】
2012061109.tif 000017
【図１６】
2012061109.tif 000018
【図１７】
2012061109.tif 000019
【図１８】
2012061109.tif 000020
【図１９】
2012061109.tif 000021
【図２０】
2012061109.tif 000022
【図２１】
2012061109.tif 000023
【図２２】
2012061109.tif 000024
【図２３】
2012061109.tif 000025